(57)【要約】【課題】衛生洗浄装置が便器のボウルに被る部分を減らしつつ、小水などが衛生洗浄装置と便器上面との隙間に侵入しにくい衛生洗浄装置及びこれを備えたトイレ装置を提供する。【解決手段】衛生洗浄機能部を内蔵し、腰掛便器８００の上部に設置される本体部４００を備え、前記本体部４００の前面は、前記腰掛便器８００のボウル８１０の開口端に沿って凹ませた湾曲凹面４０２を有し、前記湾曲凹面４０２の略全体が前記ボウル８１０の開口端よりも前記ボウル８１０の側に突出することを特徴とする衛生洗浄装置１００を提供する。【選択図】  図３
2007284926.tif 000002
【特許請求の範囲】
【請求項１】
衛生洗浄機能部を内蔵し、腰掛便器の上部に設置される本体部を備え、
前記本体部の前面は、前記腰掛便器のボウルの開口端に沿って凹ませた湾曲凹面を有し、
前記湾曲凹面の略全体が前記ボウルの開口端よりも前記ボウルの側に突出することを特徴とする衛生洗浄装置。
【請求項２】
前記本体部は、前記ボウルの側に突出した部分の下面に、下方に垂下する壁を有することを特徴とする請求項１記載の衛生洗浄装置。
【請求項３】
前記本体部は、前記ボウルの側に突出した部分の下面に、下方に突出する傾斜部を有することを特徴とする請求項１記載の衛生洗浄装置。
【請求項４】
前記傾斜部の斜面に水切り溝が設けられたことを特徴とする請求項３記載の衛生洗浄装置。
【請求項５】
前記傾斜部の先端に、下方に垂下する壁が設けられたことを特徴とする請求項３記載の衛生洗浄装置。
【請求項６】
腰掛便器と、
前記腰掛便器の上部に設置される請求項１〜５のいずれか１つに記載の衛生洗浄装置と、
を備え、
前記湾曲凹面により、前記本体部に対して前記腰掛便器のボウルをほぼ露出させたことを特徴とするトイレ装置。
【発明の詳細な説明】
【技術分野】
【０００１】
本発明は、衛生洗浄装置及びトイレ装置に関し、より具体的には、洋式腰掛便器に腰かけた使用者の「おしり」などを水で洗浄する衛生洗浄装置及びこれを備えたトイレ装置に関する。
【背景技術】
【０００２】
衛生洗浄装置は、洗浄水を噴射する洗浄ノズルをその内部に進退自在に収容し、腰掛便器の上面後部に設置して使用する形態のものが主流となっている。そして、このような衛生洗浄装置の清掃性の向上などを目的として、その小型化が検討されている。すなわち、衛生洗浄装置の前面を後退させれば、腰掛便器のボウルに被る部分を減らすことができ、ボウルに被った衛生洗浄装置の裏面の汚れ落としの手間などが省ける。このためには、例えば、衛生洗浄装置の前面を、便器のボウルの開口端と一致するように湾曲状に形成することも考えられる（特許文献１）。
【特許文献１】特開２００３−３３９５７８号公報
【発明の開示】
【発明が解決しようとする課題】
【０００３】
しかし、衛生洗浄装置の前面をボウルの開口端と一致させると、衛生洗浄装置と便器ボウルの開口端との間の隙間が前面に露出してしまう。その結果として、この隙間に小水などが侵入しやすくなる。特に男性の立位の小用の場合、この露出した隙間に小水が直接かかってしまい、小水が隙間に侵入してアンモニア臭の発生などの原因となる場合がある。
【０００４】
本発明は、かかる課題の認識に基づいてなされたものであり、衛生洗浄装置が便器のボウルに被る部分を減らしつつ、小水などが衛生洗浄装置と便器ボウルの開口端との隙間に侵入しにくい衛生洗浄装置及びこれを備えたトイレ装置を提供するものである。
【課題を解決するための手段】
【０００５】
本発明の一態様によれば、
衛生洗浄機能部を内蔵し、腰掛便器の上部に設置される本体部を備え、
前記本体部の前面は、前記腰掛便器のボウルの開口端に沿って凹ませた湾曲凹面を有し、
前記湾曲凹面の略全体が前記ボウルの開口端よりも前記ボウルの側に突出することを特徴とする衛生洗浄装置が提供される。
【０００６】
また、本発明の他の一態様によれば、
腰掛便器と、
前記腰掛便器の上部に設置される上記の衛生洗浄装置と、
を備え、
前記湾曲凹面により、前記本体部に対して前記腰掛便器のボウルをほぼ露出させたことを特徴とするトイレ装置が提供される。
【発明の効果】
【０００７】
本発明によれば、衛生洗浄装置が便器のボウルに被る部分を減らしてボウルのほとんどを露出させつつ、小水などが衛生洗浄装置と便器ボウルの開口端との隙間に侵入しにくい衛生洗浄装置及びこれを備えたトイレ装置を提供することができる。
【発明を実施するための最良の形態】
【０００８】
以下、図面を参照しつつ本発明の実施の形態について説明する。  
図１は、本発明の実施の形態にかかるトイレ装置の外観を表す模式斜視図である。  
また、図２は、このトイレ装置の便座２００と便蓋３００を開いた状態を表す。
【０００９】
本実施形態のトイレ装置は、洋式腰掛便器８００と、その上に設けられた衛生洗浄装置１００と、を備える。衛生洗浄装置１００は、本体部４００と、便座２００と、便蓋３００と、を有する。便座２００と便蓋３００は、本体部４００に対して開閉自在にそれぞれ軸支されている。
【００１０】
本体部４００には、衛生洗浄を実現するための衛生洗浄機能部が内蔵されている。すなわち、着座センサ４２０により使用者が便座２００に座ったことを検知し、使用者のスイッチ操作などに応じて本体部４００から吐水ノズル（図示せず）を便器８００のボウル内に進出させ、その先端付近に設けられた吐水口から水を噴射して、便座に座った使用者の「おしり」などを洗浄可能とされている。なお、本願明細書において「水」という場合には、冷水のみならず、加熱されたお湯も含むものとする。
【００１１】
また、本体部４００には、「脱臭ユニット」や「温風乾燥ユニット」、「室内暖房ユニット」などの各種の機構が適宜設けられ、その側面には、脱臭ユニットからの排気口４４０及び室内暖房ユニットからの排出口４５０が適宜設けられている。また、使用者の接近を検知して便蓋３００を自動的に開き、使用者がいなくなると便蓋３００を自動的に閉じる「オート開閉機能」を設けることもできる。  またさらに、便器８００に洗浄水を流す「自動水洗機能」を、衛生洗浄装置１００に付加してもよい。これは、ロータンクやフラッシュバルブの排水機構を動作させる駆動機構を設け、この駆動機構を動作させる信号を本体部４００から出力して、便器８００に自動的に洗浄水を流す機能である。
【００１２】
これらの機能は、本体部４００に設けられた操作部（図示せず）を適宜操作することにより実行・設定でき、また、トイレの壁面などに設置されたリモコン（図示せず）を操作することにより実行させることも可能である。また、本体部４００の上面に凹設部４１０が形成され、この凹設部４１０に一部が埋め込まれるように人体検知センサ５００が設けられている。人体検知センサ５００は、便蓋３００が閉じた状態においては、その基部付近に設けられた透過窓３１０を介して使用者の存在を検知する。
【００１３】
そして、本実施形態においては、図２に表したように、本体部４００が、便器８００のボウル８１０の開口端に合わせて後退した形状を有する。すなわち、本体部４００は、便器８００の上部後方に設置され、その前面が、便器８００のボウル８１０の開口端の形状に沿ってボウル８１０の開口端よりもボウル８１０の側にわずかに突出するように凹状に湾曲した湾曲凹面４０２とされている。なおここで、「後方」とは、図１に表したように、通常はロータンクやフラッシュバルブなどが設置される側であり、通常の使用態様において使用者からみて遠い側を意味する。
【００１４】
湾曲凹面４０２の左右には、ボウル８１０の開口端に沿って前方に向けて延出した延出部４０４が設けられている。湾曲凹面４０２は、その中央付近が高く、左右の延出部４０４に近づくにしたがって次第に低くなる形状を有する。
【００１５】
湾曲凹面４０２の中央付近の高い部分には、吐水ノズルを進出及び後退させる開口部及びその開口部を覆う閉止部材としてのノズルダンパー４６０が設けられ、その右側には、温風吹出口及び温風吹出口を覆う閉止部材として温風ダンパー４７０が設けられている。これらは、いずれも開閉自在に支持され、待機状態においては、いずれも閉じられた状態とされる。そして、便座２００に座った使用者の「おしり」などを洗浄するために吐水ノズルが進出すると、ノズルダンパー４６０が開く。また、温風乾燥ユニット６２０から使用者の「おしり」などに向けて温風を吹き付ける際には、温風ダンパー４７０が開く。
【００１６】
そして、本実施形態によれば、湾曲凹面４０２をボウル８１０の開口端よりもボウル８１０の側にわずかに突出させることにより、本体部４００がボウル８１０に被る部分を減らしてボウル８１０のほとんどを露出させつつ、小水などが本体部４００とボウル８１０の開口端との隙間に侵入することを効果的に防止できる。  
図３は、ボウル８１０と湾曲凹面４０２との関係を表す模式平面図である。  
すなわち、湾曲凹面４０２のほぼ全体が、ボウル８１０の開口端よりもボウルの側にわずかに突出している。こうすると、本体部４００とボウル８１０の開口端との隙間を隠すことができる。その結果として、本体部４００とボウル８１０の開口端との隙間に小水などが直接かかることを防止し、小水などの侵入を効果的に抑制できる。この点については、後に詳述する。
【００１７】
以下、本体部４００の前面を湾曲凹面４０２とした効果について、まず説明する。  
図４は、本実施形態のトイレ装置から便座２００と便蓋３００を外してトイレ装置を前方から眺めた斜視図である。  
また、図５は、第１の比較例のトイレ装置を前方から眺めた斜視図である。なお、図４及び図５は、便器８００の前にしゃがんだ状態で便器を清掃する使用者の目線からみたボウル８１０の眺めを表し、具体的には、便器８００の前端からおよそ１００ミリメータ離れ、床面から約１０００ミリメータの高さから眺めたボウル８１０の外観を表す。
【００１８】
また、図６は、本実施形態のトイレ装置の断面図であり、
図７は、第１比較例のトイレ装置の断面図である。図６及び図７は、便器８００の前にしゃがんだ状態で便器を清掃する使用者の目線からみえる範囲を説明するための模式図である。
【００１９】
まず比較例について説明すると、図５及び図７に表した第１比較例においては、本体部４００は便器８００のボウル８１０の上に延出し、破線で表した領域４００Ｐがボウル８１０の開口の後方部分を塞いでいる。しかし、このように本体部４００がボウル８１０の上にはみだしていると、男性の立位の小用の際に小水が本体部４００にかかりやすくなる。また、このように本体部４００がボウル８１０の上にはみだしていると、ボウル８１０の有効開口面積が狭められるため、立位で小用をする男性に対して狭窄感を与える。また、このようにはみだした領域４００Ｐの裏面側にも汚れが付着しやすく、その清掃性の点でも改善の余地がある。
【００２０】
さらには、このように本体部４００がボウル８１０の上にはみだしていると、ボウル８１０の後方上部に汚れが付着しても見えず、且つ、その部位の清掃がしにくくかった。すなわち、図５に表した比較例の場合、使用者が便器８００の前にしゃがんだ状態においても、ボウル８１０の上端のリム部８２０は、本体部のはみ出し領域４００Ｐの陰に隠れて見えない。このため、使用者が領域４００Ｐの下のリム部８２０を掃除するためには、さらにかがんだ姿勢で覗き込むようにしなければならない。
【００２１】
これに対して、本実施形態においては、図４及び図６に表したように、本体部４００の前面を後退させて湾曲凹面４０２を形成することにより、男性の立位での小用の際にも小水がかかりにくくなり、使用者に対して視覚的な狭窄感を与えることもない。そして、このように本体部４００を後退させることにより、汚れの付着も抑制でき、清掃性も格段に改善できる。すなわち、本実施形態によれば、図６に表したように、便器８００の前にしゃがんだ使用者の視線からみて、ボウル８１０の後端のリム部８２０の上端付近まで見える。従って、使用者は、その姿勢のまま雑巾やブラシなどを用いてボウル８１０の後端まで清掃し、汚れが落ちてきれいになったことを確実且つ容易に確認できる。また、本実施形態においては、本体部４００のボウル８１０の上への突出量が抑制されているので、その突出部の裏側に付着した汚れなどを清掃することも容易である。例えば、雑巾などで清掃する際にも、使用者が本体部４００の裏側に雑巾をあてがった状態で、左右にサッと拭き取ることができる。
【００２２】
そしてさらに、本実施形態においては、この湾曲凹面４０２をボウル８１０の開口端よりもボウルの側にわずかに突出させることにより、ボウル８１０の開口を殆ど塞ぐことなく、本体部４００とボウル８１０の開口端の上面との隙間に小水などが侵入することを効果的に抑制できる。
【００２３】
図８は、本実施形態のトイレ装置の断面図である。  
また、図９は、第２の比較例のトイレ装置の断面図である。
【００２４】
まず、比較例について説明すると、図９に表した第２比較例は、背景技術に関して前述したように、本体部４００が便器の開口端に突出しない便座装置にかかる先行技術に対応する。つまり、本比較例においては、本体部４００の前面は、ボウル８１０の側に突出しておらず、ボウル８１０の開口端と一致している。しかし、こうすると、本体部４００とボウル８１０の開口端との隙間が完全に露出してしまうので、その隙間に小水９００が直接かかって侵入しやすくなる。特に、男性の立位の小用の際には、この隙間に高い位置から小水９００がかかることがあり、強い水勢の小水が隙間の奥まで侵入するおそれがある。もちろん、この隙間に、小水が入り込まないようにパッキンなどを設けることも考えられるが、この場合でもパッキンの部分までは小水が侵入してしまい、また、隙間に小水が直接かかると水勢によりパッキンを超えて小水が奥まで入り込んでしまうこともあり得る。
【００２５】
これに対して、本実施形態のトイレ装置においては、図８に表したように、本体部４００の前面が湾曲凹面４０２を持ちつつ、ボウル８１０の開口端よりもわずかに前方に突出させることにより、本体部４００とボウル８１０の開口端との隙間は本体部４００によって必ず隠される。その結果として、男性の立位の小用の際にも、本体部４００とボウル８１０の開口端との隙間に小水９００が直接かかることをほぼ完全に防止できる。特に、子供の立位の小用の際には、低い位置から小水がかかることとなるが、このような場合でも、本体部４００とボウル８１０の開口端との隙間に小水がかかることを防止できる。その結果として、小水などがこの隙間に侵入することを可及的に防ぐことができ、臭気の発生などを抑制し清潔な状態を維持できる。  
また、本体部４００とボウル８１０の開口端との隙間に小水が入り込むと、その小水が本体部４００の側方に回り込み、便器８００の横側面から外に流れ出て床にこぼれる可能性があるが、本具体例の場合には本体部４００とボウル８１０の開口端との隙間に直接小水がかからないため、その隙間を伝って小水などが便器外に流れ出ることもない。
【００２６】
図１０は、本実施形態における本体部４００の突出部の突出量を説明するための模式平面図である。  
同図に表したように、本体部の湾曲凹面４０２は、ボウル８１０の開口形状にほぼ沿った形態を保ちつつ、湾曲凹面４０２のほぼ全体がボウル８１０の開口端よりもボウル８１０に側にわずかに突出している。湾曲凹面４０２の左右前端でのボウル８１０への突出量をａ、ｂとし、中央付近でのボウル８１０への突出量をｃとすると、ａ及びｂは相対的に小さく、ｃは相対的に大きくすることができる。このようにすれば、ボウル８１０の開口形状と略連続させつつ、本体部４００とボウル８１０の開口端との隙間への小水などの侵入を効果的に防止できる。これは、男性の立位の小用の際には、小水は主に中央付近に向けられるからである。また、このようにすると、排水及び脱臭のためのスペース（突出部）を確保することも容易となる。
【００２７】
具体的には、例えば、ａ及びｂは概ね数ミリメータ乃至１０ミリメータ程度で、ｃは概ね１０ミリメータ乃至１０数ミリメータ程度とすることができる。このように湾曲凹面４０２をわずかに突出させれば、本体部４００とボウル８１０の開口端との隙間への小水の侵入を可及的に抑制できる。またさらに、本体部４００からボウル８１０への排水を確保し、さらに脱臭機能のための脱臭吸気口を確保することもできる。
【００２８】
また、本体部４００のボウル８１０への突出部の突出量をこのように制限することにより、例えば使用者の手指の先端から第１関節までの範囲で、雑巾を本体部４００の裏側にまんべんなくあてがうことも可能となる。つまり、使用者は、手指の第１関節を軽く曲げた状態のまま、手指の先端に雑巾をあてがって、本体部４００の湾曲凹面４０２に沿って左右に雑巾をサッと滑らすことにより、本体部４００の裏側と、これに隣接するリム部８２０の上端部を確実に清掃することが可能となる。湾曲凹面４０２はボウル８１０と略連続した曲面を構成しているので、雑巾がひっかかることもなく、スムーズ且つ確実に清掃できる。
【００２９】
そして、本発明においては、このような衛生洗浄装置の本体部４００の前縁に、小水の侵入を防止する構造をさらに付加することもできる。  
図１１は、本体部４００の前縁付近を表す部分拡大断面図である。  
また、図１２は、湾曲凹面４０２を前方から眺めた模式図である。  
また、図１３は、湾曲凹面４０２の中央部を下方から眺めた模式図である。
【００３０】
すなわち、本具体例においては、本体部４００の前縁下方に小水の侵入を防止する壁７９０が、湾曲凹面４０２と同様に前面を凹ませた形状として設けられている。壁７９０は、本体部４００を便器８００に取り付けた状態において、ボウル８１０の中に向けて垂下するように設けられている。このような壁７９０を設けることにより、本体部４００とボウル８１０の開口端との隙間をほぼ完全に隠すことができ、小水がかかることをほぼ完全に防止できる。またさらに、本体部４００にかかった小水が湾曲凹面４０２の表面を下方に流れた場合も、この小水はそのまま壁７９０の表面を流下し、壁７９０の先端からボウル８１０に落下する。つまり、本体部４００にかかった小水が本体部４００の裏面に回り込んで、便器８００との隙間に侵入することを防止できる。この点で、壁７９０は、小水の間接的な侵入も防止できるといえる。
【００３１】
なお、図１１においては、ノズルユニット６１０が表されている。また、ケースプレート７７０にはゴムなどからなるパッキン７７６が適宜設けられ、水などの侵入を防止することができる。なお、本具体例においては、壁７９０はケースプレート７７０に設けたが、本発明はこれには限定されず、ケースカバー４３０の一部を延在させて壁７９０を形成してもよい。またこの場合、壁７９０は湾曲凹面４０２と一体的に形成してもよい。
【００３２】
以下、小水の侵入を防止する構造の他の具体例について説明する。  
図１４は、第２の具体例にかかる本体部４００の前縁付近を表す一部拡大断面図である。  また、図１５は、湾曲凹面４０２を正面から眺めた模式図である。  
また、図１６は、湾曲凹面４０２の中央部を下方から眺めた模式図である。
【００３３】
本具体例においては、ケースプレート７７０の前縁に、下方に突出する傾斜部７９２が、湾曲凹面４０２と同様に前面を凹ませた形状として設けられている。このような傾斜部７９２を設けることによっても、本体部４００とボウル８１０の開口端との隙間をより確実に隠すことができ、小水がかかることをより確実に防止できる。また本具体例においても、本体部４００にかかった小水が湾曲凹面４０２の表面を下方に流れた場合に、この小水はそのまま傾斜部７９２の前面７９２Ａを流下し、傾斜部７９２の先端からボウル８１０に落下する。つまり、本体部４００にかかった小水が本体部４００の裏面に回り込んで、便器８００との隙間に侵入することを防止できる。
【００３４】
なお、小水が本体部４００の裏面に回り込まないようにするために、傾斜部７９２はある程度の高さが必要である。しかし傾斜部７９２が高すぎると、男性や子供の立位での小用の際に見えてしまい、小用の的にされてしまう可能性がある。この傾斜部の前面７９２Ａには後述するトイ状の排水部７７１が開設されているため、この傾斜部７９２が的にされるのを避けたい。そこで、傾斜部の前面７９２Ａを、水平方向に対して４７度後方側に傾斜させることで、傾斜部７９２を立位の人の目線では視認不可能にしている。つまり、図１５の正面図では排水部７７１は見えているが、立位の大人及び子供からは排水部７７１は見えないように配置されている。  
またさらに、本具体例の場合、ボウル３１０に突出した本体部４００の裏面を、雑巾などで掃除しやすいという利点もある。
【００３５】
図１７は、第３の具体例にかかる本体部４００の前縁付近を表す一部拡大断面図である。
【００３６】
また、図１８は、その先端付近をさらに拡大して表した断面図である。  
本具体例においても、ケースプレート７７０の前縁に、下方に突出する傾斜部７９２が、湾曲凹面４０２と同様に前面を凹ませた形状として設けられている。そしてさらに、本具体例においては、傾斜部７９２の後面７９２Ｂに水切り溝７９４が設けられている。このような水切り溝７９４を設けることによって、傾斜部７９２の後面７９２Ｂを水が這い上がることを効果的に防止できる。すなわち、傾斜部７９２の前面７９２Ａを流下した水の殆どは、傾斜部７９２の先端からボウル８１０に落下するが、その流量が小さい場合などには、表面張力により傾斜部７９２の先端から後面７９２Ｂを這い上がることもある。このようにして後面７９２Ｂを這い上がった水は、本体部４００と便器８００との隙間に侵入することもあり得る。これに対して、本具体例によれば、傾斜部７９２の後面７９２Ｂに水切り溝７９４を設けることにより、傾斜部７９２を這い上がろうとする水が水切り溝７９４で堰き止められて、水の這い上がりを効果的に防止できる。本具体例における水切り溝７９４は、水の流量が特に小さい場合などに、傾斜部７９２の後面７９２Ｂへの這い上がりや回り込みを効果的に防止できる。
【００３７】
また、本具体例においては、水切り溝７９４の前面７９４Ａ（図１８参照）が略鉛直面となるように水切り溝７９４を形成するとよい。つまり、水切り溝７９４の中に取り込まれた水は、略鉛直な前面７９４Ａを介してボウル８１０に落下しやすくなる。
【００３８】
図１９は、湾曲凹面４０２を正面から眺めた模式図である。  
また、図２０は、傾斜部７９２を裏面側から眺めた模式図である。  
また、図２１は、湾曲凹面４０２を下方から眺めた模式図である。
【００３９】
すなわち、水切り溝７９４は、傾斜部７９２の後面７９２Ｂを湾曲凹面４０２に沿って延在し、その両端は、前方に屈曲して湾曲凹面４０２に開口している。このようにすると、水切り溝７９４の中に取り込まれた水をさらに効率的にボウル８１０に落下させることができる。
【００４０】
図２２は、第４の具体例にかかる本体部４００の前縁付近を表す一部拡大断面図である。
【００４１】
本具体例においても、ケースプレート７７０の前縁に、下方に突出する傾斜部７９２が、湾曲凹面４０２と同様に前面を凹ませた形状として設けられている。そしてさらに、本具体例においては、傾斜部７９２の先端に、壁７９６が設けられている。壁７９６は、本体部４００を便器８００に取り付けた状態において、ボウル８１０の中に向けて垂下するように設けられている。このような壁７９０を設けることにより、やはり本体部４００とボウル８１０の開口端との隙間をほぼ完全に隠すことができ、小水がかかることをほぼ完全に防止できる。またさらに、本体部４００にかかった小水が湾曲凹面４０２の表面を下方に流れた場合も、この小水はそのまま壁７９６の表面を流下し、壁７９０の先端からボウル８１０に落下する。つまり、本体部４００にかかった小水が本体部４００の裏面に回り込んで、便器８００との隙間に侵入することを防止できる。
【００４２】
次に、本実施形態のトイレ装置の内部構造の一例について説明する。  
図２３は、本体部４００の内部を前方から眺めた斜視図である。  
本体部４００は、筐体を構成するケースカバー４３０とケースプレート７７０とを有する。ケースカバー４３０の上面には、人体検知センサ５００や表示部６７０が適宜設けられている。表示部６７０は、例えばトイレ装置に対する電源の投入状態などを適宜表示する役割を有する。また、ケースカバー４３０の前部の上部には、便座２００を自動開閉させるための電動開閉ユニット７８０が突出して設けられている。
【００４３】
一方、ケースカバー４３０の内部をみると、その前方には、ノズルユニット６１０、温風乾燥ユニット６２０、脱臭ユニット６３０、が併設されている。ノズルユニット６１０は、進退自在の吐水ノズルを有し、便座２００に座った使用者の「おしり」などに水を噴射して洗浄する役割を有する。温風乾燥ユニット６２０は、便座２００に座った使用者の「おしり」などに温風をあてて乾燥させる役割を有する。脱臭ユニット６３０は、便器８００のボウル８１０内の空気を吸引し、脱臭して排気口４４０から排出する役割を有する。
【００４４】
また、ケースカバー４３０の内部の前部上方にはＡＣ（交流）コントローラ６４０が設けられ、その後部には、ポンプユニット６５０と熱交換ユニット６６０が設けられている。熱交換ユニット６６０に供給された水が加熱され、ポンプユニット６５０で水に脈動を付与し、ノズルユニット６１０にこの脈動水を供給する。
【００４５】
また、ケースカバー４３０の側面には、補助操作ユニット（図示せず）が適宜設けられている。補助操作ユニットは、ノズルユニット６１０による「おしり」の洗浄などを操作するスイッチが設けられ、例えば、リモコン（図示せず）による操作が不可能な状態においても衛生洗浄機能の動作を制御可能としたものである。
【００４６】
一方、ケースカバー４３０の内部の後部には、電動開閉ユニット７２０と便器洗浄バルブユニット７３０とが併設されている。電動開閉ユニット７２０は、便蓋３００を開閉する役割を有する。便器洗浄バルブユニット７３０は、便器８００に流す洗浄水の供給を制御する役割を有する。すなわち、本具体例のトイレ装置は、いわゆる「水道直結給水式」の構造を有し、ロータンクなどを設けずに、水道から供給される水を便器洗浄バルブユニット７３０を介して便器８００に供給して洗浄を実施する。ただし、本発明はこれには限定されず、ロータンク式のトイレに取付可能な衛生洗浄装置も包含する。
【００４７】
一方、ケースカバー４３０の内部の最後部には、室内暖房ユニット７４０が設けられている。室内暖房ユニット７４０は、温風を排出口４５０（図１参照）から排出することによりトイレ装置が設置されたトイレ空間を暖房する役割を有する。
【００４８】
そして、このような各種の機構を備えた本体部４００の内部において、排水が生ずることがある。例えば、ノズルユニット６１０はその先端にノズル洗浄室を備え、吐水ノズルの使用の前後などにノズル洗浄室において水を噴射することにより吐水ノズルを洗浄する。この洗浄水は、ケースプレート７７０の前端中央部に壁７９０または傾斜部７９２を一部切り欠いて設けられたトイ状の排水部７７１からボウル８１０に排出される。この際に、図１１〜図２２に関して前述したような壁７９０、傾斜部７９２、水切り溝７９４、壁７９６などを設けることにより、排水部７７１から排出された水の這い上がりや回り込みを防止することができる。つまり、排水部７７１から排出された水が本体部４００と便器８００との隙間に侵入することも防止できる。
【００４９】
以上、具体例を参照しつつ、本発明の実施の形態について説明した。しかし、本発明は、これらの具体例に限定されるものではない。例えば、本発明の衛生洗浄装置及びトイレ装置に含まれる、脱臭装置、温風乾燥装置、着座センサ、筺体、リモコン、腰掛便器などの各要素については、当業者が適宜設計変更することにより本発明を同様に実施し、同様の効果を得ることができるものも本発明の要旨を含む限り、本発明の範囲に包含される。その他、衛生洗浄装置や便器を構成する各要素について変更を加えたものであっても、本発明の要旨を備える限りにおいて、本発明の範囲に包含される。
【００５０】
また、本発明のトイレ装置は、「ロータンク式」のものでもよく、または、水道からの水を便器に直接給水し洗浄する「水道直結給水式」のものでもよい。  
また、図１乃至図２３に関して前述した特徴部分は、技術的な可能な範囲においていかようにも組合せることができ、これら組合せにより得られた衛生洗浄装置及びトイレ装置についても、本発明の要旨を含む限りにおいて本発明の範囲に包含される。
【００５１】
その他、本発明の実施の形態として上述した衛生洗浄装置及びトイレ装置を基にして、当業者が適宜設計変更して実施しうるすべての衛生洗浄装置及びトイレ装置も同様に本発明の範囲に属する。
【図面の簡単な説明】
【００５２】
【図１】本発明の実施の形態にかかるトイレ装置の外観を表す模式斜視図である。
【図２】トイレ装置の便座２００と便蓋３００を開いた状態を表す。
【図３】ボウル８１０と湾曲凹面４０２との関係を表す模式平面図である。
【図４】本実施形態のトイレ装置から便座２００と便蓋３００を外してトイレ装置を前方から眺めた斜視図である。
【図５】第１の比較例のトイレ装置を前方から眺めた斜視図である。
【図６】本実施形態のトイレ装置の断面図である。
【図７】第１比較例のトイレ装置の断面図である。
【図８】本実施形態のトイレ装置の断面図である。
【図９】第２の比較例のトイレ装置の断面図である。
【図１０】本実施形態における本体部４００の突出部の突出量を説明するための模式平面図である。
【図１１】本体部４００の前縁付近を表す一部拡大断面図である。
【図１２】湾曲凹面４０２を前方から眺めた模式図である。
【図１３】衛生洗浄装置の裏面を表す模式図である。
【図１４】第２の具体例にかかる本体部４００の前縁付近を表す一部拡大断面図である。
【図１５】湾曲凹面４０２を正面から眺めた模式図である。
【図１６】衛生洗浄装置の裏面を表す模式図である。
【図１７】第３の具体例にかかる本体部４００の前縁付近を表す一部拡大断面図である。
【図１８】第３具体例の本体部の先端付近をさらに拡大して表した断面図である。
【図１９】湾曲凹面４０２を正面から眺めた模式図である。
【図２０】傾斜部７９２を裏面側から眺めた模式図である。
【図２１】湾曲凹面４０２を下方から眺めた模式図である。
【図２２】第４の具体例にかかる本体部４００の前縁付近を表す一部拡大断面図である。
【図２３】本体部４００の内部を前方から眺めた斜視図である。
【符号の説明】
【００５３】
１００ 衛生洗浄装置、２００ 便座、３００ 便蓋、３１０ ボウル、４００ 本体部、４０２ 湾曲凹面、４０４ 延出部、４２０ 着座センサ、４３０ ケースカバー、４４０ 排気口、４５０ 排出口、４６０ ノズルダンパー、４７０ 温風ダンパー、５００ 人体検知センサ、６１０ ノズルユニット、６２０ 温風乾燥ユニット、６３０ 脱臭ユニット、６４０ コントローラ、６５０ ポンプユニット、６６０ 熱交換ユニット、６７０ 表示部、７２０ 電動開閉ユニット、７３０ 便器洗浄バルブユニット、７４０ 室内暖房ユニット、７７０ ケースプレート、７７１ 排水部、７８０ 電動開閉ユニット、７９０ 壁、７９２ 傾斜部、７９２Ａ 前面、７９２Ｂ 後面、７９４ 溝、７９４Ａ 前面、７９６ 壁、８００ 便器、８１０ ボウル、８２０ リム部、９００ 小水
【図１】
2007284926.tif 000003
【図２】
2007284926.tif 000004
【図３】
2007284926.tif 000005
【図４】
2007284926.tif 000006
【図５】
2007284926.tif 000007
【図６】
2007284926.tif 000008
【図７】
2007284926.tif 000009
【図８】
2007284926.tif 000010
【図９】
2007284926.tif 000011
【図１０】
2007284926.tif 000012
【図１１】
2007284926.tif 000013
【図１２】
2007284926.tif 000014
【図１３】
2007284926.tif 000015
【図１４】
2007284926.tif 000016
【図１５】
2007284926.tif 000017
【図１６】
2007284926.tif 000018
【図１７】
2007284926.tif 000019
【図１８】
2007284926.tif 000020
【図１９】
2007284926.tif 000021
【図２０】
2007284926.tif 000022
【図２１】
2007284926.tif 000023
【図２２】
2007284926.tif 000024
【図２３】
2007284926.tif 000025
【手続補正書】
【提出日】平成18年9月19日(2006.9.19)
【手続補正１】
【補正対象書類名】特許請求の範囲
【補正対象項目名】全文
【補正方法】変更
【補正の内容】
【特許請求の範囲】
【請求項１】
衛生洗浄機能部を内蔵し、腰掛便器の上部後方に設置される本体部と、
前記本体部に対して開閉自在に軸支された便座と、
を備え、
前記本体部の前端面は、前記腰掛便器のボウルの開口端に沿って凹ませた湾曲凹面を有し、
前記湾曲凹面の略全体が前記ボウルの開口端よりも前記ボウルの前方にわずかに突出することを特徴とする衛生洗浄装置。
【請求項２】
前記本体部は、前記ボウルの前方にわずかに突出した部分の下面に、下方に垂下する壁を有することを特徴とする請求項１記載の衛生洗浄装置。
【請求項３】
前記本体部は、前記ボウルの前方にわずかに突出した部分の下面に、下方に突出する傾斜部を有することを特徴とする請求項１記載の衛生洗浄装置。
【請求項４】
前記傾斜部の斜面に水切り溝が設けられたことを特徴とする請求項３記載の衛生洗浄装置。
【請求項５】
前記傾斜部の先端に、下方に垂下する壁が設けられたことを特徴とする請求項３記載の衛生洗浄装置。
【請求項６】
腰掛便器と、
前記腰掛便器の上部に設置される請求項１〜５のいずれか１つに記載の衛生洗浄装置と、
を備え、
前記湾曲凹面により、前記本体部に対して前記腰掛便器のボウルをほぼ露出させたことを特徴とするトイレ装置。
【手続補正２】
【補正対象書類名】明細書
【補正対象項目名】０００５
【補正方法】変更
【補正の内容】
【０００５】
本発明の一態様によれば、
衛生洗浄機能部を内蔵し、腰掛便器の上部後方に設置される本体部と、
前記本体部に対して開閉自在に軸支された便座と、
を備え、
前記本体部の前端面は、前記腰掛便器のボウルの開口端に沿って凹ませた湾曲凹面を有し、
前記湾曲凹面の略全体が前記ボウルの開口端よりも前記ボウルの前方にわずかに突出することを特徴とする衛生洗浄装置が提供される。